【手続補正書】
【提出日】平成14年10月8日(2002.10.8)
【手続補正１】
【補正対象書類名】明細書
【補正対象項目名】特許請求の範囲
【補正方法】変更
【補正の内容】
【特許請求の範囲】
【請求項１】
ｑ個の第１の制御信号とｐ個の第２の制御信号の少なくとも一部に基づいて制御可能である、インクジェット印刷装置に用いるインクジェット・プリントヘッドであって、該プリントヘッドは、
作動される際に熱を発生するインク−加熱抵抗体と、前記第１及び第２の制御信号を受信し、かつ、前記第１及び第２の制御信号の少なくとも一部に基づいて、選択されたインク−加熱抵抗体を通って電流が流れることを許容することによって、前記インク−加熱抵抗体を選択的に作動させるスイッチング回路とを有するプリントヘッドの集積回路チップであって、前記スイッチング回路が前記第１の操作モード又は前記第２の操作モードのいずれかにおいて操作可能であり、
前記第１の操作モードにおいてｑがｑ１に等しく、
前記第２の操作モードにおいてｑがｑ２に等しく、
ｑ１がｑ２の２倍に等しく、
前記第１の操作モードにおいてｐがｐ１に等しく、
前記第２の操作モードにおいてｐがｐ２に等しく、
ｐ２がｐ１の２倍に等しく、
前記第１の操作モードにおいてｑ１にｐ１を掛けた積が、前記第２の操作モードにおいてｑ２にｐ２を掛けた積に等しいプリントヘッドの集積回路チップと、
前記プリントヘッドの集積回路に接続される操作モード選択手段であって、該操作モード選択手段の配置に基づいて、スイッチング回路が第１の操作モード又は第２の操作モードにおいて動作するかを決定する操作モード選択手段と、を含むインクジェット・プリントヘッド。
【請求項２】
ｎ個の第３の制御信号の少なくとも一部に基づいて更に制御可能であり、
前記プリントヘッドの集積回路チップが更に、
少なくともｑ１にｐ１とｎを掛けた数のインク−加熱抵抗体と、
前記第３の制御信号を受信し、かつ、前記第３の制御信号の少なくとも一部に基づいて、選択されたインク−加熱抵抗体を通って電流が流れることを許容することによって、前記インク−加熱抵抗体を選択的に作動させるスイッチング回路とを含み、
前記第１の操作モードにおけるｎの値が、前記第２の操作モードにおけるｎの値に等しい、請求項１に記載のインクジェット・プリントヘッド。
【請求項３】
前記インク−加熱抵抗体が、ｑ１×ｎ個のインク−加熱抵抗体のグループを更に含み、同時に作動するｐ１個のインク−加熱抵抗体を前記各グループが含み、
前記スイッチング回路が、前記第１及び第３の制御信号に基づいて前記ｑ１×ｎ個の各グループの作動を連続的に可能にするように前記第１の操作モードにおいて操作可能であり、かつ、前記第２の制御信号に基づいて作動可能なグループ内の前記インク−加熱抵抗体のいずれかの１つを作動させるように操作可能である、請求項２に記載のインクジェット・プリントヘッド。
【請求項４】
前記インク−加熱抵抗体が、ｑ２×ｎ個のインク−加熱抵抗体のグループを更に含み、同時に作動するｐ２個のインク−加熱抵抗体を前記各グループが含み、
前記スイッチング回路が、前記第１及び第３の制御信号に基づいて前記ｑ２×ｎ個の各グループの作動を連続的に可能にするように前記第２の操作モードにおいて操作可能であり、かつ、前記第２の制御信号に基づいて作動可能なグループ内の前記インク−加熱抵抗体のいずれかの１つを作動させるように操作可能である、請求項２に記載のインクジェット・プリントヘッド。
【請求項５】
前記スイッチング回路が、
前記第１の制御信号を受信するｑ１個の第１の電気的接触と、
前記第２の制御信号を受信するｐ２個の第２の電気的接触と、
前記第３の制御信号を受信するｎ個の第３の電気的接触とを含む、請求項２に記載のインクジェット・プリントヘッド。
【請求項６】
前記操作モード選択手段が、前記インクジェット印刷装置と前記プリントヘッドの集積回路上のスイッチング回路との間における電気的接続を提供する接続回路を更に含み、
該接続回路が、
前記インクジェット印刷装置と前記第１の電気的接触の少なくとも幾つかとの間の電気的接続を提供する第１の導電ラインと、
前記インクジェット印刷装置と前記第２の電気的接触の少なくとも幾つかとの間の電気的接続を提供する第２の導電ラインと、
前記第１の操作モードにおいて、前記第２の電気的接触の幾つかを共に短絡するジャンパーラインと、
前記インクジェット印刷装置と前記少なくともｎ個の第３の電気的接触との間の電気的接続を提供する少なくともｎ個の第３の導電ラインとを含む、請求項５に記載のインクジェット・プリントヘッド。
【請求項７】
前記操作モード選択手段が、前記インクジェット印刷装置と前記プリントヘッドの集積回路上のスイッチング回路との間における電気的接続を提供する接続回路を更に含み、
該接続回路が、
前記インクジェット印刷装置と前記第１の電気的接触の少なくとも幾つかとの間の電気的接続を提供する第１の導電ラインと、
前記インクジェット印刷装置と前記第２の電気的接触の少なくとも幾つかとの間の電気的接続を提供する第２の導電ラインと、
前記第２の操作モードにおいて、前記第１の電気的接触の幾つかを共に短絡するジャンパーラインと、
前記インクジェット印刷装置と前記少なくともｎ個の第３の電気的接触との間の電気的接続を提供する少なくともｎ個の第３の導電ラインとを含む、請求項５に記載のインクジェット・プリントヘッド。
【請求項８】
前記接続回路が、
前記インクジェット印刷装置と少なくともｑ１個の前記第１の電気的接触との間の電気的接続を提供する少なくともｑ１個の前記第１の導電ラインと、
前記インクジェット印刷装置とｐ２個の前記第２の電気的接触における最初の半分との間の電気的接続を提供する少なくともｐ１個の前記第２の導電ラインと、
少なくともｐ１個の前記第２の導電ラインを、ｐ２個の前記第２の電気的接触における次ぎの半分との間で短絡する少なくともｐ１個の前記ジャンパーラインとを更に含む、請求項６に記載のインクジェット・プリントヘッド。
【請求項９】
前記接続回路が、
前記インクジェット印刷装置と少なくともｐ２個の前記第１の電気的接触との間の電気的接続を提供する少なくともｐ２個の前記第２の導電ラインと、
前記インクジェット印刷装置とｑ１個の前記第１の電気的接触における最初の半分との間の電気的接続を提供する少なくともｑ２個の前記第１の導電ラインと、
少なくともｑ２個の前記第１の導電ラインを、ｑ１個の前記第１の電気的接触における次ぎの半分との間で短絡する少なくともｑ２個の前記ジャンパーラインとを更に含む、請求項７に記載のインクジェット・プリントヘッド。
【請求項１０】
前記接続回路がフレシキブルテープ自動化接合（ＴＡＢ）回路を更に含み、
前記第１導電ライン、第２導電ライン、第３及導電ライン及びジャンパー導電ラインが、前記ＴＡＢ中に導電性金属トレースを更に含む、請求項６に記載のインクジェット・プリントヘッド。
【請求項１１】
前記接続回路がフレシキブルテープ自動化接合（ＴＡＢ）回路を更に含み、
前記第１導電ライン、第２導電ライン、第３及導電ライン及びジャンパー導電ラインが、前記ＴＡＢ中に導電性金属トレースを更に含む、請求項７に記載のインクジェット・プリントヘッド。
【請求項１２】
前記第１の操作モードにおいて、ｑ１が４であり、ｐ１が８であり、ｎが１０である、請求項２に記載のインクジェット・プリントヘッド。
【請求項１３】
前記第２の操作モードにおいて、ｑ２が２であり、ｐ２が１６であり、ｎが１０である、請求項２に記載のインクジェット・プリントヘッド。
【請求項１４】
少なくともｑ１にｐ１とｎを掛けた数のインク−加熱抵抗体であって、各々が前記第２の制御信号の１つを受信する高部側と、低部側を有するインク−加熱抵抗体と、
スイッチング回路であって、
少なくともｑ１にｐ１とｎを掛けた数の第１のスイッチングデバイスであって、その各々が前記インク−加熱抵抗体の対応する１つに連結され、その各々が、前記第１の制御信号の１つを受信する第１の制御入力と、前記第３の制御信号の１つを受信する第１の高部側入力と、第１の低部側出力とを有する第１のスイッチングデバイスと、
少なくともｑ１にｐ１とｎを掛けた数の第２のスイッチングデバイスであって、その各々が前記第１のスイッチングデバイスの対応する１つと前記インク−加熱抵抗体の対応する１つとに連結され、その各々が、連結されたインク−加熱抵抗体の前記低部側に接続された第２の高部側入力と、連結された第１のスイッチングデバイスの前記第１の低部側出力に接続された第２の制御入力と、共通の接地リターンに接続された第２の低部側出力とを有する第２のスイッチングデバイスとを有するスイッチング回路とを更に含む、請求項５に記載のインクジェット・プリントヘッド。
【請求項１５】
前記第１のスイッチングデバイスが、第１のゲート、第１のソース及び第１のドレインを有する電界効果トランジスタであり、前記第１のゲートが前記第１の制御入力であり、前記第１のドレインが前記第１の高部側入力であり、第１のソースが前記第１の低部側出力であり、
前記第２のスイッチングデバイスが、第２のゲート、第２のソース及び第２のドレインを有するパワー電界効果トランジスタであり、前記第２のゲートが前記第２の制御入力であり、前記第２のドレインが前記第２の高部側入力であり、第２のソースが前記第２の低部側出力である、請求項１４に記載のインクジェット・プリントヘッド。
【請求項１６】
対応する前記第１のスイッチングデバイスの前記第１のゲートにおいて前記第１の制御信号が高度であり、前記抵抗体の前記高部側において前記第２の制御信号が高度であり、前記第１のスイッチングデバイスの前記第１のドレインにおいて前記第３の制御信号が高度であるときに、前記インク−加熱抵抗体のいずれか１つが前記抵抗体を通って流れる電流によって作動される、請求項１５に記載のインクジェット・プリントヘッド。
【請求項１７】
前記プリントヘッドの集積回路が、
ｑ１個の前記第１の電気的接触に対応するｑ１個のインク−加熱抵抗体の選択グループであって、その各々がｐ１×ｎ個のインク−加熱抵抗体から成り、その各々がｑ１個の前記第１の制御信号の１つによって独立してアドレス可能である選択グループと、
ｐ２個の前記第２の電気的接触に対応するｐ２個の一次グループであって、その各々がｑ２×ｎ個のインク−加熱抵抗体から成り、その各々がｐ２個の前記第２の制御信号の１つによって独立してアドレス可能である一次グループとを含む、請求項６に記載のインクジェット・プリントヘッド。
【請求項１８】
前記操作モード選択手段が、前記第１の操作モードにあるときに、ｐ２個の前記第２の電気的接触における最初の半分をｐ２個の前記第２の電気的接触における次ぎの半分との間で短絡するｐ１個のジャンパー導電体を有し、これによって、前記一次グループの数をｐ１に低減し、前記各一次グループにおけるインク−加熱抵抗体の数をｑ１×ｎに増加させ、ｐ１個の前記第２の制御信号によってｐ１個の前記各一次グループが独立してアドレス可能である、請求項１５に記載のインクジェット・プリントヘッド。
【請求項１９】
前記操作モード選択手段が、前記第２の操作モードにあるときに、ｑ１個の前記第１の電気的接触における最初の半分をｑ１個の前記第１の電気的接触における次ぎの半分との間で短絡するｑ２個のジャンパー導電体を有し、これによって、前記選択グループの数をｑ２に低減し、前記各選択グループにおけるインク−加熱抵抗体の数をｐ２×ｎに増加させ、ｑ２個の前記第１の制御信号によってｑ２個の前記各選択グループが独立してアドレス可能である、請求項１５に記載のインクジェット・プリントヘッド。
【請求項２０】
ｑ個の第１の制御信号とｐ個の第２の制御信号の少なくとも一部に基づいて制御可能である、インクジェット印刷装置に用いるインクジェット・プリントヘッドであって、該プリントヘッドは、
作動される際に熱を発生するインク−加熱抵抗体と、前記第１及び第２の制御信号を受信し、かつ、前記第１及び第２の制御信号の少なくとも一部に基づいて、選択されたインク−加熱抵抗体を通って電流が流れることを許容することによって、前記インク−加熱抵抗体を選択的に作動させるスイッチング回路とを有するプリントヘッドの集積回路チップであって、前記スイッチング回路が第１の操作モード又は第２の操作モードのいずれかにおいて操作可能であり、
前記第１の操作モードにおいてｑがｑ１に等しく、
前記第２の操作モードにおいてｑがｑ２に等しく、
ｑ１がｑ２より大きく、
前記第１の操作モードにおいてｐがｐ１に等しく、
前記第２の操作モードにおいてｐがｐ２に等しく、
ｐ２がｐ１より大きいプリントヘッドの集積回路チップと、
前記プリントヘッドの集積回路に接続される操作モード選択手段であって、該操作モード選択手段の配置に基づいて、前記スイッチング回路が前記第１の操作モード又は前記第２の操作モードにおいて動作するかを決定する操作モード選択手段と、を含むインクジェット・プリントヘッド。